(57)【特許請求の範囲】
【請求項１】
ｎ（ｎは２以上の整数）個のチューナを内蔵し、異なった帯域の信号を受信、復調し、後述するデコーダ装置により要求された番組のみを生成したｎ本のストリームから選択して再多重したｍ（ｍは１以上の整数）本のストリームに再構成して、前記ｍ本のストリームを送信するチューナ装置と、
前記チューナ装置に対して選択すべき複数の番組を要求し、前記チューナ装置から送信されたｍ本のストリームの内、各々１本のストリームを受信し、ストリーム内の複数の番組を同時に映像・音声にデコード処理、又は、蓄積部にレコード処理をするデコーダ装置をｍ個備えたデジタル放送受信システム。
【請求項２】
チューナ装置は、
デコーダ装置からの要求に応じて異なった帯域の信号を選択して受信するｎ個のチューナ部と、
前記ｎ個のチューナ部の出力を信号の変調方式に対応してデジタル復調し、ｎ本のトランスポートストリームとして出力するｎ個のデジタル復調部と、
デコーダ装置毎に１対１で存在し、ｍ個の前記デコーダ装置により要求された番組を前記ｎ個のデジタル復調部から出力されたｎ本のトランスポートストリーム内から選択し、選択した複数番組を各々１本のトランスポートストリームに再多重するｍ個のストリーム再多重部と、
前記ストリーム再多重部に１対１で存在するｍ個の前記デコーダ装置に対して前記ｍ個のストリーム再多重部から出力されたｍ本のトランスポートストリームを送信するストリーム送信部と
を備えたことを特徴とする請求項１に記載のデジタル放送受信システム。
【請求項３】
チューナ装置は、
デコーダ装置からの要求に応じて、異なった帯域の信号を選択し、受信するｎ個のチューナ部と、
前記ｎ個のチューナ部の出力を各々の変調方式に対応してデジタル復調し、トランスポートストリームとして出力するｎ個のデジタル復調部と、
前記ｎ個のチューナ部の出力を各々アナログ復調し、アナログ映像・音声信号として出力するｎ個のアナログ復調部と、
前記ｎ個のアナログ復調部の出力をデジタルエンコードしてトランスポートストリームとして出力するｎ個のデジタルエンコーダ部と、
前記ｎ個のデジタル復調部から入力したｎ本のトランスポートストリームと、前記ｎ個のデジタルエンコーダ部から入力したｎ本のトランスポートストリームとから、各々の前記ｎ個のチューナ部毎にデジタルかアナログかを選択されたｎ本のトランスポートストリームの内、ｍ個の前記デコーダ装置により要求された番組をｎ本のトランスポートストリームから選択し、選択した複数番組を各々１本のトランスポートストリームに再多重して出力しデコーダ装置毎に１対１で存在するｍ個のストリーム再多重部と、
前記ストリーム再多重部に１対１で存在するｍ個の前記デコーダ装置に対して前記ｍ個のストリーム再多重部から出力されたｍ本のトランスポートストリームを送信するストリーム送信部と
を備えたことを特徴とする請求項１に記載のデジタル放送受信システム。
【請求項４】
ｎ（ｎは２以上の整数）個のチューナを内蔵し、異なった帯域の信号を受信、復調し、後述するデコーダ装置および内蔵するストリーム処理部により要求された番組のみを生成したｎ本のストリームから選択して再多重したｋ（ｋは２以上の整数）本のストリームに再構成し、
前記ｋ本のストリームの内、内蔵するストリーム処理部により要求した１本のストリームのみ、ストリーム内の複数の番組を同時に映像・音声にデコード処理、又は、レコード処理をし、残りの（ｋ−１）本のストリームを送信するデジタル放送受信装置と、
前記デジタル放送受信装置に対して選択すべき複数の番組を要求し、前記デジタル放送受信装置から送信された（ｋ−１）本のストリームの内、各々要求した１本のストリームを受信し、ストリーム内の複数の番組を同時に映像・音声にデコード処理、又は、蓄積部にレコード処理をするデコーダ装置を（ｋ−１）個備えたことを特徴とするデジタル放送受信システム。
【発明の詳細な説明】
【０００１】
【発明の属する技術分野】
本発明は複数チャンネルを同時受信し、複数番組を同時デコード処理し、かつ、ネットワークで拡張が可能なデジタル放送受信システムに関するものである。
【０００２】
【従来の技術】
従来のデジタル受信装置としては、特開２０００−２４４８４１号公報に記載されたものが知られている。
【０００３】
以下、この従来のデジタル受信装置に関して、図４を用いて説明する。
【０００４】
図４は従来のデジタル受信装置のシステム構成図を示しており、３つのチューナ部１１、チューナ部１２、チューナ部１３、３つのデジタル復調部１４、デジタル復調部１５、デジタル復調部１６、２つのストリーム選択部４１、４２、２つのデスクランブラ部４３、４４、ストリーム処理部４５、ＡＶデコーダ部４６、インタフェース部４７から構成されている。
【０００５】
まず、チューナ部１１、チューナ部１２、チューナ部１３で各々の放送波の帯域に合致したチャンネルを選択し、デジタル復調部１４、デジタル復調部１５、デジタル復調部１６で各々の放送波に合致した方式でデジタル復調、誤り訂正処理をし、各々から１本のトランスポートストリームを出力する。
【０００６】
次に、ストリーム選択部４１では上記デジタル復調部１４、デジタル復調部１５、デジタル復調部１６から出力された３本のトランスポートストリームの内１本を選択し、デスクランブラ部４３でスクランブル解除し、ストリーム処理部４５で必要な番組の圧縮された映像・音声データを抜き出し、ＡＶデコーダ部４６で映像・音声を複合して外部のテレビ等に出力する。
【０００７】
一方、ストリーム選択部４２では上記デジタル復調部１４、デジタル復調部１５、デジタル復調部１６から出力された３本のトランスポートストリームの内１本を選択し、デスクランブラ部４４でスクランブル解除し、スクランブル解除したトランスポートストリームをインターフェース部４７を介して、外部の記憶装置等に出力する。
【０００８】
【発明が解決しようとする課題】
この従来のデジタル放送受信装置では、複数番組を処理するには、番組数分の複数のストリーム選択部、番組数分の複数のデスクランブラ部を用意する必要があった。そこで、複数番組の同時処理する複数のデコーダ機能を安価に提供することが要求されると共に、各部屋にネットワークでデコーダ機能を増設して拡張できるシステムを安価に提供することが要求されている。
【０００９】
【課題を解決するための手段】
この課題を解決するために本発明は、複数のチャンネルを受信するチューナ装置内、または、デジタル放送受信装置内にデコーダ装置（又は機能）毎に１対１で存在するストリーム再多重部を設け、各々のデコーダ装置（又は機能）からの要求に応じて必要な複数番組を選択して再多重し、再多重した各々１本のストリームを各デコーダ装置（又は機能）に送信して、各デコーダ装置（又は機能）内で複数番組を同時処理できるように構成したものである。各デコーダ装置（機能）内で１つのデスクランブラ部を共用することも可能である。
【００１０】
これにより、複数番組の同時処理する複数のデコーダ機能を安価に提供することができると共に、各部屋にネットワークでデコーダ機能を増設して拡張できるシステムも安価に提供することができる。
【００１１】
【発明の実施の形態】
本発明のデジタル放送受信システムは、ｎ（ｎは２以上の整数）個のチューナを内蔵し、異なった帯域の信号を受信、復調し、生成したｎ本のストリームから各々要求された番組のみを選択して再多重したｍ（ｍは１以上の整数）本のストリームに再構成して、ｍ本のストリームを送信するチューナ装置と、上記チューナ装置から送信されたｍ本のストリームの内、各々１本のストリームを受信し、ストリーム内の複数の番組を同時に映像・音声にデコード処理、又は、蓄積部にレコード処理をするデコーダ装置をｍ個備えたものであり、ｎ個のチューナを内蔵する１つのチューナ装置からｍ個のデコーダ装置に対して、各々複数番組を有する１本のストリームを送信し、各々のデコーダ装置にて複数番組を同時処理するという作用を有する。
【００１２】
また、本発明のデジタル放送受信システムは、チューナ装置は、外部の各々のデコーダ装置からの要求に応じて、異なった帯域の信号を選択し、受信するｎ個のチューナ部と、上記ｎ個のチューナ部から入力した信号を各々の変調方式に対応してデジタル復調し、トランスポートストリームとして出力するｎ個のデジタル復調部と、上記ｎ個のデジタル復調部から入力したｎ本のトランスポートストリームの内、各々のトランスポートストリームから要求された番組を選択し、選択した複数番組を各々１本のトランスポートストリームに再多重して出力するｍ個のストリーム再多重部と、上記ｍ個のストリーム再多重部から入力したｍ本のトランスポートストリームを外部の各々のデコーダ装置に送信するストリーム送信部とから構成されるものであり、ｎ個のデジタル復調部で処理したｎ本のストリームに対し、ｍ個のストリーム再多重部にて外部の各々のデコーダ装置からの要求に応じて必要な複数番組を選択して再多重し、再多重した各々１本のストリームをストリーム送信部から外部の各デコーダ装置（又は機能）に送信するという作用を有する。
【００１３】
また本発明のデジタル放送受信システムは、チューナ装置は、外部の各々のデコーダ装置からの要求に応じて、異なった帯域の信号を選択し、受信するｎ個のチューナ部と、上記ｎ個のチューナ部から入力した信号を各々の変調方式に対応してデジタル復調し、トランスポートストリームとして出力するｎ個のデジタル復調部と、上記ｎ個のチューナ部から入力した信号を各々アナログ復調し、アナログ映像・音声信号として出力するｎ個のアナログ復調部と、上記ｎ個のアナログ復調部から入力したアナログ映像・音声信号をデジタルエンコードしてトランスポートストリームとして出力するｎ個のデジタルエンコーダ部と、上記ｎ個のデジタル復調部から入力したｎ本のトランスポートストリームと、上記ｎ個のデジタルエンコーダ部から入力したｎ本のトランスポートストリームとから、各々の上記ｎ個のチューナ部毎にデジタルかアナログかを選択した後、選択したｎ本のトランスポートストリームの内、各々のトランスポートストリームから要求された番組を選択し、選択した複数番組を各々１本のトランスポートストリームに再多重して出力するｍ個のストリーム再多重部と、上記ｍ個のストリーム再多重部から入力したｍ本のトランスポートストリームを外部の各々のデコーダ装置に送信するストリーム送信部とから構成されるものであり、ｎ個のデジタル復調部で処理したｎ本のストリームとｎ個のアナログ復調部を経由してｎ個のデジタルデコーダ部で生成したｎ本のストリームから、各々デジタル放送かアナログ放送かを選択後のｎ本のストリームに対し、ｍ個のストリーム再多重部にて外部の各々のデコーダ装置からの要求に応じて必要な複数番組を選択して再多重し、再多重した各々１本のストリームをストリーム送信部から外部の各デコーダ装置（又は機能）に送信するという作用を有する。
【００１４】
本発明のデジタル放送受信システムは、ｎ（ｎは２以上の整数）個のチューナを内蔵し、異なった帯域の信号を受信、復調し、生成したｎ本のストリームから各々要求された番組のみを選択して再多重したｍ（ｍは１以上の整数）本のストリームに再構成し、ｍ本のストリームの内、要求した１本のストリームのみ、ストリーム内の複数の番組を同時に映像・音声にデコード処理、又は、レコード処理をし、残りの（ｍ−１）本のストリームを送信するデジタル放送受信装置と、上記デジタル放送受信装置から送信された（ｍ−１）本のストリームの内、各々要求した１本のストリームを受信し、ストリーム内の複数の番組を同時に映像・音声にデコード処理、又は、蓄積部にレコード処理をするデコーダ装置を（ｍ−１）個備えたものであり、ｎ個のチューナを内蔵する１つのデジタル放送受信装置内にて複数番組を同時処理すると共に、デジタル放送受信装置から（ｍ−１）個のデコーダ装置に対して、各々複数番組を有する１本のストリームを送信し、各々のデコーダ装置にて複数番組を同時処理するという作用を有する。
【００１５】
以下、本発明の実施の形態について、図１から図３を用いて説明する。
【００１６】
（実施の形態１）
図１は本発明の実施の形態１の請求項１相当のｎ＝３、ｍ＝２の例のデジタル放送受信システム、及び、請求項２相当のｎ＝３の例のチューナ装置のシステム構成図を示しており、デジタル放送受信システムはチューナ装置１と２つのデコーダ装置２、デコーダ装置３とから構成されている。
【００１７】
また、チューナ装置１は、３つのチューナ部１１、チューナ部１２、チューナ部１３、３つのデジタル復調部１４、デジタル復調部１５、デジタル復調部１６、２つのストリーム再多重部２３、ストリーム再多重部２４、ストリーム送信部２５から構成され、これら構成要素の内、チューナ部１１、チューナ部１２、チューナ部１３、デジタル復調部１４、デジタル復調部１５、デジタル復調部１６は従来例の図４と同じ構成である。
【００１８】
また、デコーダ装置２は、ストリーム受信部２７、デスクランブラ部２８、蓄積制御付きストリーム処理部２９、ＡＶデコーダ部３０、蓄積部３１から構成され、デコーダ装置３は、ストリーム受信部３２、デスクランブラ部３３、ストリーム処理部３４、ＡＶデコーダ部３５から構成されている。
【００１９】
以上のように構成されたデジタル放送受信システム、および、チューナ装置１について、以下、その動作について述べる。
【００２０】
まずチューナ装置１の説明をする。チューナ部１１、チューナ部１２、チューナ部１３のチャネル選択やストリーム再多重部２３、ストリーム再多重部２４の複数番組を選択して再多重する制御はストリーム送信部２５を介して入力した２つの外部のデコーダ装置２、３の要求に従って行うものとする。チューナ部１１、チューナ部１２、チューナ部１３で各々の放送波の帯域に合致したチャンネルを選択し、デジタル復調部１４、デジタル復調部１５、デジタル復調部１６で各々の放送波に合致した方式でデジタル復調、誤り訂正処理をし、各々から１本のトランスポートストリームを出力する。ストリーム多重部２３では外部のデコーダ装置２の要求に従って、ストリーム再多重部２４では外部のデコーダ装置３の要求に従って、上記デジタル復調部１４、デジタル復調部１５、デジタル復調部１６から出力された３本のトランスポートストリームの内、外部の各デコーダ装置２、３に必要な２つの番組を各々選択して再多重し、再多重した各々のトランスポートストリームをストリーム送信部２５に出力する。ストリーム送信部２５では再多重した２本のトランスポートストリームをパケット化し、ＩＥＥＥ１３９４の有線やＩＥＥＥ８０２．１１ａの無線等の通信方式に従って各々１本のトランスポートストリームを外部の各デコーダ装置２、３に送信する。
【００２１】
次にデコーダ装置２の説明をする。ストリーム受信部２７ではパケット化を解いて１本のトランスポートストリームを出力し、デスクランブラ部２８でスクランブル解除し、蓄積制御付ストリーム処理部２９で必要な２つの番組を圧縮された映像・音声データとして抜き出す。抜き出した１つの番組は蓄積部３１に格納しながら、蓄積制御付ストリーム処理部２９でタイムシフトして再度読み出し、ＡＶデコーダ部３０で映像・音声を複合して外部のテレビ等に出力する。抜き出したもう１つの番組は蓄積部３１に格納して、裏録画する。
【００２２】
最後にデコーダ装置３の説明をする。ストリーム受信部３２ではパケット化を解いて１本のトランスポートストリームを出力し、デスクランブラ部３３でスクランブル解除し、ストリーム処理部３４で必要な２つの番組を圧縮された映像・音声データとして抜き出す。抜き出した２つの番組はＡＶデコーダ部３０で映像・音声を複合して、分割２画面、又は、ピクチャインピクチャ画面で外部のテレビに出力する。
【００２３】
なお、以上の説明では、図面の都合上ｎ＝３、ｍ＝２の例で説明したが、デコーダ装置２、３が各々２番組を同時処理するので、本来はｎ＝４、ｍ＝２の方が望ましい。
【００２４】
また、以上の説明では、デコーダ装置２、３内に各々１個のデスクランブラ部２８、２９を設ける構成にしたが、これらデスクランブラ部を削除した構成にしたり、デコーダ装置２、３内の代りに、チューナ装置１内のデジタル復調部１４、デジタル復調部１５、デジタル復調部１６の後ろにデスクランブラ部を設ける構成にしてもよい。
【００２５】
図２は本発明の実施の形態２のｎ＝２の例の請求項３相当のチューナ装置のシステム構成図であり、チューナ装置４は図１のデジタル受信システムにおいてチューナ装置１と交換可能である。
【００２６】
チューナ装置４は、２つのチューナ部１１、１２、２つのデジタル復調部１４、１５、２つのアナログ復調部１７、１８、２つのデジタルエンコーダ部１９、２０、２つのスイッチ２１、２３、２つのストリーム再多重部２３、ストリーム再多重部２４、ストリーム送信部２５から構成され、これら構成要素の内、チューナ部１１、１２、デジタル復調部１４、１５、ストリーム再多重部２３、ストリーム再多重部２４、ストリーム送信部２５は本発明の実施の形態１の図１と同じ構成である。
【００２７】
以上のように構成されたチューナ装置４について、以下、その動作について述べる。
【００２８】
チューナ部１１、１２で各々の放送波の帯域に合致したチャンネルを選択し、選択したチャンネルがデジタル放送チャンネルであれば、デジタル復調部１４、１５で各々の放送波に合致した方式でデジタル復調、誤り訂正処理をし、各々から１本のトランスポートストリームを出力する。一方、選択したチャンネルがアナログ放送チャンネルであれば、アナログ復調部１７、１８にてアナログ復調し、デジタルエンコーダ部１９、２０でエンコードして各々から１本のトランスポートストリームを出力する。スイッチ２１、２２ではチューナ部１１、１２の選択チャンネルがデジタル放送かアナログ放送かで各々のトランスポートを選択して出力する。ストリーム再多重部２３、ストリーム再多重部２４では各々外部のデコーダ装置の要求に従って、上記スイッチ２１、２２から出力された２本のトランスポートストリームの内、各々外部のデコーダ装置に必要な２つの番組を各々選択して再多重し、再多重した各々のトランスポートストリームをストリーム送信部２５に出力する。ストリーム送信部２５では再多重した２本のトランスポートストリームをパケット化し、ＩＥＥＥ１３９４の有線やＩＥＥＥ８０２．１１ａの無線等の通信方式に従って各々１本のトランスポートストリームを外部の各デコーダ装置に送信する。
【００２９】
なお、以上の説明では、デジタルエンコーダ部１９、２０は別個で２本のトランスポートを出力する構成にしたが、これは１個のデジタルエンコーダ部にまとめ、２つのアナログ番組を多重して１本のトランスポートストリームとして出力する構成にしてもよい。
【００３０】
図３は本発明の実施の形態３の請求項４相当のｎ＝３、ｍ＝２の例のデジタル放送受信システムのシステム構成図を示しており、デジタル放送受信システムはデジタル放送受信装置５とデコーダ装置３とから構成され、これら構成要素の内、デコーダ装置３は本発明の実施の形態１の図１と同じ構成である。
【００３１】
また、デジタル放送受信装置５は、３つのチューナ部１１、チューナ部１２、チューナ部１３、３つのデジタル復調部１４、デジタル復調部１５、デジタル復調部１６、２つのストリーム再多重部２３、ストリーム再多重部２４、ストリーム送信部２６、デスクランブラ部２８、蓄積制御付きストリーム処理部２９、ＡＶデコーダ部３０、蓄積部３１から構成され、これら構成要素の内、ストリーム送信部２６以外は本発明の実施の形態１の図１と同じ構成である。
【００３２】
以上のように構成されたデジタル放送受信システムについて、以下、その動作について述べる。
【００３３】
デコーダ装置３の動作は本発明の実施の形態１で説明済みなので、ここではデジタル放送受信装置５の説明のみをする。チューナ部１１、チューナ部１２、チューナ部１３で各々の放送波の帯域に合致したチャンネルを選択し、デジタル復調部１４、デジタル復調部１５、デジタル復調部１６で各々の放送波に合致した方式でデジタル復調、誤り訂正処理をし、各々から１本のトランスポートストリームを出力する。
【００３４】
ストリーム多重部２３では蓄積制御付ストリーム処理部２９の要求に従って、上記デジタル復調部１４、デジタル復調部１５、デジタル復調部１６から出力された３本のトランスポートストリームの内、蓄積制御付ストリーム処理部２９に必要な２つの番組を選択して再多重し、再多重した１本のトランスポートストリームを出力する。デスクランブラ部２８でスクランブル解除し、蓄積制御付ストリーム処理部２９で必要な２つの番組を圧縮された映像・音声データとして抜き出す。抜き出した１つの番組は蓄積部３１に格納しながら、蓄積制御付ストリーム処理部２９でタイムシフトして再度読み出し、ＡＶデコーダ部３０で映像・音声を複合して外部のテレビ等に出力する。抜き出したもう１つの番組は蓄積部３１に格納して、裏録画する。
【００３５】
また、ストリーム多重部２４では外部のデコーダ装置３の要求に従って、上記デジタル復調部１４、デジタル復調部１５、デジタル復調部１６から出力された３本のトランスポートストリームの内、外部のデコーダ装置３に必要な２つの番組を選択して再多重し、再多重した各々のトランスポートストリームをストリーム送信部２５に出力する。ストリーム送信部２５では再多重した２本のトランスポートストリームをパケット化し、ＩＥＥＥ１３９４の有線やＩＥＥＥ８０２．１１ａの無線等の通信方式に従って１本のトランスポートストリームを外部のデコーダ装置３に送信する。
【００３６】
なお、以上の説明では、デジタル放送受信装置５内のストリーム再多重部２３の後段にデスクランブラ部２８を、デコーダ装置３内にデスクランブラ部３３を設ける構成にしたが、これらデスクランブラ部を削除した構成にしたり、デジタル放送受信装置５内のデジタル復調部１４、デジタル復調部１５、デジタル復調部１６の後ろにデスクランブラ部を設ける構成にしてもよい。
【００３７】
【発明の効果】
以上のように本発明によれば、複数のチャンネルを受信するチューナ装置内、または、デジタル放送受信装置内にデコーダ装置（又は機能）毎に１対１で存在するストリーム再多重部を設けることにより、各々のデコーダ装置（又は機能）からの要求に応じて必要な複数番組を選択して再多重し、再多重した各々１本のストリームを各デコーダ装置（又は機能）に送信して、各デコーダ装置（又は機能）内で複数番組を同時処理することでき、その際各デコーダ装置（機能）内で１つのデスクランブラ部を共用することで安価なデコーダ装置が提供でき、かつ、容易に別の部屋に拡張できるという有利な効果が得られる。
【図面の簡単な説明】
【図１】本発明の一実施の形態によるチューナ装置、及び、デジタル放送受信システムのシステム構成図
【図２】本発明の一実施の形態によるチューナ装置のシステム構成図
【図３】本発明の一実施の形態によるデジタル放送受信システムのシステム構成図
【図４】従来のデジタル放送受信装置のシステム構成図
【符号の説明】
１、４  チューナ装置
２、３  デコーダ装置
５  デジタル放送受信装置
１１、１２、１３  チューナ部
１４、１５、１６  デジタル復調部
１７、１８  アナログ復調部
１９、２０  デジタルエンコーダ部
２３、２４  ストリーム再多重部
２５、２６  ストリーム送信部
【図１】
0003778067.tif 000002
【図２】
0003778067.tif 000003
【図３】
0003778067.tif 000004
【図４】
0003778067.tif 000005